(57)【特許請求の範囲】
【請求項１】
軸周りに回転可能で内部が温水供給流路をなすシリンダ弁体と、前記シリンダ弁体を内部に収容する弁ケースと、を備えたシリンダ式弁装置と、前記シリンダ式弁装置を内蔵する、水栓本体のハウジングと、を有する水栓装置であって、
前記シリンダ弁体は、その周面に前記温水供給流路に貫通するシリンダ弁体側開口を周方向に１箇所だけ有し、
前記弁ケースは、前記シリンダ弁体側開口に対応するように軸方向位置を同じくし且つ周方向に離隔した複数の弁ケース側開口を有し、
前記シリンダ弁体が回転することにより前記シリンダ弁体側開口と重なる前記弁ケース側開口を選択可能であり、
前記複数の弁ケース側開口の周りに、それぞれ離隔して設けられ、前記ハウジングと前記弁ケースとの間をシールする複数のシール部材を設けた、
水栓装置。
【請求項２】
前記複数の弁ケース側開口が当該シリンダ式弁装置を持つ水栓本体のそれぞれ別の流路に連通する請求項１に記載の水栓装置。
【請求項３】
前記複数の弁ケース側開口は、カランに通じるカラン側開口及びシャワーホースに通じるシャワー側開口であり、
前記カラン側開口及び前記シャワー側開口は、前記シリンダ弁体側から操作ハンドル側を見る視座で反時計方向に前記シリンダ弁体が回動するときに、回動の所定の初期位置では前記シリンダ弁体側開口は前記弁ケース側開口の何れとも連通せず、前記初期位置から所定の第１の回転角度範囲離隔した位置において前記シリンダ弁体側開口は前記カラン側開口と連通し、前記第１の回転角度範囲を超える第２の角度範囲離隔した位置において前記シリンダ弁体側開口は前記シャワー側開口と連通するように、前記シリンダ弁体側開口、前記カラン側開口、及び、前記シャワー側開口の相対位置が設定されている、
請求項１又は２に記載の水栓装置。
【請求項４】
軸周りに回転可能で内部が温水供給流路をなすシリンダ弁体と、前記シリンダ弁体を内部に収容する弁ケースと、を備えたシリンダ式弁装置と、前記シリンダ式弁装置を内蔵する、水栓本体のハウジングと、を有する水栓装置であって、
前記シリンダ弁体は、その周面に前記温水供給流路に貫通するシリンダ弁体側開口を周方向に１箇所だけ有し、
前記弁ケースは、前記シリンダ弁体側開口に対応するように軸方向位置を同じくし且つ周方向に離隔した複数の弁ケース側開口を有し、
前記シリンダ弁体が回転することにより前記シリンダ弁体側開口と重なる前記弁ケース側開口を選択可能であり、
前記弁ケース側開口の周りであって、前記水栓本体のハウジングと前記弁ケースとの間、及び前記弁ケースと前記シリンダ弁体との間をシールするシール部材を設けた、
水栓装置。
【発明の詳細な説明】
【技術分野】
【０００１】
本発明は、シリンダ式弁装置に関する。
【背景技術】
【０００２】
切替ハンドルの操作に連動して軸周りに回転可能で内部が温水供給流路をなすシリンダ弁体と、このシリンダ弁体を内部に嵌め合わるように収容する筒状の部分を有する弁ケースと、を主要な要素として構成されるシリンダ式弁装置が普及している。一般的なシリンダ式弁装置では、弁ケースには、シャワーホースに連通する弁ケース側第１開口と、カランに連通する弁ケース側第２開口とが設けられる。更に、シリンダ弁体には、これらの開口にそれぞれ対応して、シリンダ弁体側第１開口と、シリンダ弁体側第２開口とが設けられる。このような一般的なシリンダ式弁装置では、切替ハンドルの操作に伴うシリンダ弁体の弁ケースとの相対的な回転位置に応じて、弁ケース側第１開口とシリンダ弁体側第１開口との位置が略一致したときにはシリンダ弁体内の温水供給流路からシャワーホースに連通する流路が通じ、シャワーホースに温水が供給される。また、弁ケース側第２開口とシリンダ弁体側第２開口との位置が略一致したときにはシリンダ弁体内の温水供給流路からカランに連通する流路が通じ、カランから吐水される。
このようなシリンダ式弁装置として、シリンダ弁体に回転を伝達する部分の損耗を低減しようとした技術も提案されている（例えば、特許文献１参照）。
【先行技術文献】
【特許文献】
【０００３】
【特許文献１】特開２０１２−２４７０３８号公報
【発明の概要】
【発明が解決しようとする課題】
【０００４】
しかしながら、特許文献１のシリンダ式弁装置では、シャワーホース側に温水を供給する一組の開口であるシリンダ弁体側第１開口及び弁ケース側第１開口と、カラン側に温水を供給する他の一組の開口であるシリンダ弁体側第２開口及び弁ケース側第２開口とが、軸方向に離隔してそれぞれ設けられる。このため、シリンダ弁体及び弁ケースの軸方向の長さが長くなり、材料コストが嵩む。
【０００５】
本発明は、上記事情に鑑みてなされたものであり、材料コストが低廉なシリンダ式弁装置を提供することを目的とする。
【課題を解決するための手段】
【０００６】
上記目的を達成するため、本発明のシリンダ式弁装置（例えば、後述するシリンダ式弁装置１００）は、軸周りに回転可能で内部が温水供給流路（例えば、後述する温水供給流路１１１）をなすシリンダ弁体（例えば、後述するシリンダ弁体１１０）と、前記シリンダ弁体を内部に収容する弁ケース（例えば、後述する弁ケース１５０）と、を備えたシリンダ式弁装置であって、前記シリンダ弁体は、その周面に前記温水供給流路に貫通するシリンダ弁体側開口（例えば、後述するシリンダ弁体側開口１２０）を有し、前記弁ケースは、前記シリンダ弁体側開口に対応するように軸方向位置を同じくし且つ周方向に離隔した複数の弁ケース側開口（例えば、後述する弁ケース側開口１５１、１５２）を有し、前記シリンダ弁体が回転することにより前記シリンダ弁体側開口と重なる前記弁ケース側開口を選択可能である。
【０００７】
また、前記複数の弁ケース側開口が当該シリンダ式弁装置を持つ水栓本体のそれぞれ別の流路に連通するように構成することは好ましい。
【０００８】
また、前記シリンダ式弁装置は、前記複数の弁ケース側開口は、カランに通じるカラン側開口（例えば、後述するカラン側開口１５１）及びシャワーホースに通じるシャワー側開口（例えば、後述するシャワー側開口１５２）であり、前記カラン側開口及び前記シャワー側開口は、前記シリンダ弁体側から前記操作ハンドル側を見る視座で反時計方向に前記シリンダ弁体が回動するときに、回動の所定の初期位置では前記シリンダ弁体側開口は前記弁ケース側開口の何れとも連通せず、前記初期位置から所定の第１の回転角度範囲離隔した位置において前記シリンダ弁体側開口は前記カラン側開口と連通し、前記第１の回転角度範囲を超える第２の角度範囲離隔した位置において前記シリンダ弁体側開口は前記シャワー側開口と連通するように、前記シリンダ弁体側開口、前記カラン側開口、及び、前記シャワー側開口の相対位置が設定されていることが好ましい。
【０００９】
また、前記シリンダ式弁装置は、前記弁ケース側開口の周りをシールするシール部材（例えば、後述するシール部材１７１，１７２）を前記弁ケースに設けることが好ましい。
【発明の効果】
【００１０】
本発明によれば、製造コストが低廉なシリンダ式弁装置を提供することができる。
【図面の簡単な説明】
【００１１】
【図１】本発明の一実施形態としてのシリンダ式弁装置を適用した水栓装置を示す図である。
【図２】図１の水栓装置内部の温度調節装置及び本発明の一実施形態としてのシリンダ式弁装置の配置を示す図である。
【図３】図１の水栓装置をシリンダ式弁装置の断面を含んで示す部分破断断面図である。
【図４】本発明の一実施形態としてのシリンダ式弁装置の斜視図である。
【図５】図３のシリンダ式弁装置の弁ケース内の外筒部材を示す図である。
【図６】図３のシリンダ式弁装置が閉弁状態にあるときのＡ―Ａ線断面図である。
【図７】図３のシリンダ式弁装置がカラン側を選択した状態にあるときのＡ―Ａ線断面図である。
【図８】図３のシリンダ式弁装置がシャワー側を選択した状態にあるときのＡ―Ａ線断面図である。
【図９】図４のシリンダ式弁装置の変形例を示す図である。
【図１０】図９のシリンダ式弁装置のＢ―Ｂ線断面図である。
【図１１】本発明の他の実施形態としてのシリンダ式弁装置を適用した水栓装置を示す図である。
【図１２】図１１の水栓装置に適用される本発明の他の実施形態としてのシリンダ式弁装置を含む切替弁温度調節ユニットの斜視図である。
【図１３】図１２の切替弁温度調節ユニットの内部構造を示す斜視図である。
【図１４】図１３の切替弁温度調節ユニットの切替弁部を示す斜視図である。
【図１５】図１４の切替弁部の内の外筒部材を示す斜視図である。
【図１６】図１４の切替弁部の内のシリンダ弁体を示す斜視図である。
【図１７】図１４の切替弁部のＣ―Ｃ線断面図である。
【発明を実施するための形態】
【００１２】
以下、図面を参照しながら本発明の実施形態について詳述することにより本発明を明らかにする。以下に参照する各図において、対応部は同一の符号により示されている。
図１は、本発明の一実施形態（第１実施形態）としてのシリンダ式弁装置を適用した水栓装置を示す図である。
図２は、図１の水栓装置内部の温度調節装置及び本発明の一実施形態としてのシリンダ式弁装置の配置を示す図である。
図１及び図２において、本実施形態の水栓装置１は、水栓本体２と、一対のクランク脚３（水側クランク脚３ａ及び湯側水側クランク脚３ｂ）と、カラン側吐水部２３と、シャワー側吐水部２４と、を含んで構成される。
【００１３】
水栓本体２は、中央のハウジング２ａ内に本発明の一実施形態としての後述するシリンダ式弁装置１００と、温度調節装置２００とを内蔵している。ハウジング２ａの向かって右側には切替ハンドル２２が設けられ、ハウジング２ａの向かって左側には温度調節ハンドル２５が設けられている。
切替ハンドル２２はシリンダ式弁装置１００に接続され、温度調節ハンドル２５は温度調節装置２００に接続されている。
水栓本体２は接続部２１でクランク脚３に接続されている。更に、水栓本体２には、その下側にカラン側吐水部２３が接続され、また、水栓本体２の背面側には、シャワー側吐水部２４が接続されている。カラン側吐水部２３及びシャワー側吐水部２４は、水栓本体２内に連なる各対応する流路２３００及び流路２４００によってシリンダ式弁装置１００の後述するカラン側開口及びシャワー側開口に接続されている。
【００１４】
切替ハンドル２２及び温度調節ハンドル２５は、水栓本体２に対して所定方向に回動自在である。
切替ハンドル２２は、回転操作によってカラン側吐水部２３からの吐水と、シャワー側吐水部２４からの吐水との切り替えを行うと共に、各吐水部からの吐水流量を調節する。
また、温度調節ハンドル２５は、回転操作によって吐水の温度調節を行う。
【００１５】
次に、図３、図４、及び、図５を参照してシリンダ式弁装置１００について詳細に説明する。
図３は、図１の水栓装置をシリンダ式弁装置の断面を含んで示す部分破断断面図である。
図４は、本発明の一実施形態としてのシリンダ式弁装置の斜視図である。
図５は、図３のシリンダ式弁装置の弁ケース内のシリンダ弁体および外筒部材を示す図である。
【００１６】
シリンダ式弁装置１００は、切替ハンドル２２の回動操作に連動して、温度調節装置２００（図２）により温度調節された湯を、カラン側吐水部２３から吐水させるかシャワー側吐水部２４から吐水させるかを切り替えると共に、出湯量の調節を行う。
図示のシリンダ式弁装置１００は、軸方向に延びる筒状体であって切替ハンドル２２に接続され、切替ハンドル２２の操作に連動して軸周りに回転可能なシリンダ弁体１１０と、シリンダ弁体１１０を内部に嵌め合わせるように収容する外筒部材１６０と、シリンダ弁体１１０と外筒部材１６０とを内部に収容する弁ケース１５０と、を有する。シリンダ弁体１１０と外筒部材１６０は弁ケース１５０に対して一体的に回転可能であり、外筒部材１６０はシリンダ弁体１１０の一部とも言える。
【００１７】
シリンダ弁体１１０には、その内部に温水供給流路１１１が同心状に形成され、且つ、その周面に温水供給流路１１１に貫通するシリンダ弁体側開口１２０が設けられている。
更に、シリンダ弁体１１０には、温水供給流路１１１の終端側である切替ハンドル２２側の端部から、切替ハンドル２２の内部に同軸状に延びる駆動軸部１１２が設けられている。駆動軸部１１２の先端近傍には、切替ハンドル２２の内部に形成された被嵌合部と嵌合するセレーション部１１２ａが形成されている。
外筒部材１６０は、シリンダ弁体側開口１２０に対応する位置にシリンダ弁体側開口１６１が設けられている。図５に示されたように、シリンダ弁体側開口１６１は軸方向に並んだ相似的な２つの開口部１６１ａ及び１６１ｂを含んで構成される。シリンダ弁体側開口１６１は、周方向に大きな広がりを持つシリンダ弁体側開口１２０を弁ケース側開口１５１、１５２にあわせ流量を適正にしている。
弁ケース１５０は、シリンダ弁体側開口１２０、１６１に対応するように軸方向位置を同じくし且つ周方向に離隔した複数（本例では２つ）の弁ケース側開口を有する。本例におけるこれら２つの開口のうち、一方の開口である弁ケース側第１開口１５１は流路２３００を通してカラン側吐水部２３に通じるカラン側開口である。また、他方の開口である弁ケース側第２開口１５２は流路２４００を通してシャワー側吐水部２４に通じるシャワー側開口である。尚、図３におけるカラン側吐水部２３に通じる流路２３００は、大部分が図３の断面よりも下方（図面の奥行方向）を廻って図２において二点鎖線図示の部分（符号２３００）に通じている。
【００１８】
ここで図４を参照すると、カラン側開口１５１の縁部に適宜の枠部材等によって形状が維持されるようにしてシール部材１７１が設けられている。このシール部材１７１はＯリングと同様のシール部材であり、開口の周囲への流水（湯）の漏えいを阻止するパッキンである。
シャワー側開口１５２についても同様に、その縁部に適宜の枠部材等によって形状が維持されるようにしてシール部材１７２が設けられている。このシール部材１７２もＯリングと同様のシール部材であり、開口の周囲への流水（湯）の漏えいを阻止するパッキンである。
【００１９】
次に、図６、図７、及び、図８の各断面図を併せ参照して、本実施形態のシリンダ式弁装置１００において、流路の切替が行われる様子について説明する。即ち、切替ハンドル２２に対する回動操作に応じて、湯の流路が閉止された状態、カラン側から出湯する流路が形成される状態、及び、シャワー側から出湯する流路が形成される状態が切替られる様子を上記各図を参照して説明する。
図６は、図３のシリンダ式弁装置が閉弁状態にあるときのＡ―Ａ線断面図である。
図７は、図３のシリンダ式弁装置においてカラン側が選択された状態にあるときのＡ―Ａ線断面図である。
図８は、図３のシリンダ式弁装置においてシャワー側が選択された状態にあるときのＡ―Ａ線断面図である。
なお、図６、図７、及び、８はシリンダ弁体１１０側から切替ハンドル２２側を見る視座で描かれている。
図６、図７、及び、図８において二点鎖線図示の切替ハンドル２２は、既述の駆動軸部１１２によってシリンダ弁体１１０に接続されている。従って、切替ハンドル２２に対する回動操作に応じて、シリンダ弁体１１０が回動し、これと共にシリンダ弁体側開口１２０、１６１の位置が周方向に移動する。
図６、図７、及び、図８から容易に理解される通り、本例では、シリンダ弁体１１０の軸心からカラン側開口１５１の中心に向かう方向と、シリンダ弁体１１０の軸心からシャワー側開口１５２の中心に向かう方向とは、直交している。即ち、カラン側開口１５１とシャワー側開口１５２とは、軸方向の位置を同じくし、周方向に劣角で９０度離隔している。
【００２０】
図６の状態では、二点鎖線図示の切替ハンドル２２は、その操作端側が下向きとなる回動位置にある。このとき、図示のように、シリンダ弁体側開口１６１はカラン側開口１５１及びシャワー側開口１５２の何れとも、温水供給流路１１１との連通路が構成されない。従って、この状態は、水栓装置１として閉弁状態にある。
【００２１】
図７の状態では、二点鎖線図示の切替ハンドル２２は、略水平となる回動位置にある。このとき、図示のように、シリンダ弁体側開口１６１はカラン側開口１５１と連通し、シャワー側開口１５２とは連通路が構成されない。即ち、温水供給流路１１１がカラン側開口１５１と連通する。この状態では、水栓装置１は、温水供給流路１１１を通して供給される水（湯）がカラン側吐水部２３から吐出する。
【００２２】
図８の状態では、二点鎖線図示の切替ハンドル２２は、その操作端側が上向きとなる回動位置にある。このとき、図示のように、シリンダ弁体側開口１６１はカラン側開口１５１とは連通せず、シャワー側開口１５２と連通路が構成される。即ち、温水供給流路１１１がシャワー側開口１５２と連通する。この状態は、水栓装置１は、温水供給流路１１１を通して供給される水（湯）がシャワー側吐水部２４から吐出する。
【００２３】
上述した図６、図７、及び、図８を参照して容易に理解される通り、本実施形態のシリンダ式弁装置１００では、切替ハンドル２２の端部が下向きになった回動位置（図６の位置）では水栓装置１は閉弁状態にあり、ここから切替ハンドル２２を水平になる回動位置（図７の位置）まで回すと、カランから吐水する状態になり、更に、切替ハンドル２２を端部が上向きになる回動位置（図８の位置）まで回すと、シャワーから吐水する状態になる。
従って、操作ハンドル２２を漸次所定角度引き上げることによって、閉止→カラン吐水→シャワ―吐水の如く切替わり、閉止→シャワ―吐水といったシャワ―吐水への一足飛びの切替が原理的に生じない。このため、湯温が上がらないうちに、これに気づく機会がないまま、不用意に冷たい水をシャワ―から浴びせられるといった不都合も原理的に回避される。
また、シリンダ弁体側開口１６１の周方向の幅がカラン側開口１５１及びシャワー側開口１５２の間隔よりも広いため、シリンダ弁体１１０の或る回動角度範囲において、シリンダ弁体側開口１６１はカラン側開口１５１及びシャワー側開口１５２の双方ともに重なるように設けられる。切替ハンドル２２を回動操作すると、上述の或る回動角度範囲（又は、これに対応する角度範囲）においては、シリンダ弁体１１０内の温水供給流路１１１が、シリンダ弁体側開口１２０、１６１を通してカラン側開口１５１及びシャワー側開口１５２の双方と連通し、カランとシャワーとの双方から吐水することになる。この回動角度範囲を越えて、切替ハンドル２２を上方に回転させると、カラン側からの吐水は閉止し、シャワー側から吐水することになる。
【００２４】
次に、図１から図８を参照して説明したシリンダ式弁装置１００の変形例であるシリンダ式弁装置１００ａについて、図９及び図１１を参照して説明する。
図９は、図４のシリンダ式弁装置の変形例を示す図であり、図１０は、図９のシリンダ式弁装置のＢ―Ｂ線断面図である。
図９及び図１０のシリンダ式弁装置１００ａにおける、既述のシリンダ式弁装置１００との相違点は、シリンダ式弁装置１００ではシリンダ弁体１１０の軸心からカラン側開口１５１の中心に向かう方向と、シリンダ弁体１１０の軸心からシャワー側開口１５２の中心に向かう方向とのなす角が９０度であったのに対し、シリンダ式弁装置１００ａではこの角θが１２０度である点である。
即ち、シリンダ式弁装置１００ａでは、弁ケース１５０ａにおけるカラン側開口１５１ａとシャワー側開口１５２ａとは、軸方向の位置を同じくし、周方向に劣角で１２０度離隔している。
尚、図１０では、二点鎖線図示の切替ハンドル２２は、その操作端側が下向きとなる回動位置にある。このとき、図示のように、シリンダ弁体側開口１６１はカラン側開口１５１ａ及びシャワー側開口１５２ａの何れとも、温水供給流路１１１との連通路が構成されない。従って、この状態は、水栓装置１として閉弁状態にある。
本変形例では、カラン側開口１５１ａとシャワー側開口１５２ａとの間隔が、シリンダ弁体側開口１６１の周方向の幅よりも広い。そのため、シリンダ弁体側開口１６１がカラン側開口１５１ａ及びシャワー側開口１５２ａの双方ともに重なることがなく、中間位置でも止水することができる。
【００２５】
次に、図１１から図１７を参照して、本発明の他の実施形態（第２実施形態）としてのシリンダ式弁装置について説明する。
先ず、図１１、図１２、及び、図１３を参照して、水栓とこれに適用されるシリンダ式弁装置を含む切替弁温度調節ユニットについて説明する。
図１１は、本発明の他の実施形態としてのシリンダ式弁装置（後述する切替弁温度調節ユニットに含まれる）を適用した水栓装置を示す図である。
図１２は、図１１の水栓装置に適用される本発明の他の実施形態としてのシリンダ式弁装置を含む切替弁温度調節ユニットの斜視図である。
図１３は、図１２のシリンダ式弁装置の内部構造を示す斜視図である。
【００２６】
図１１において、水栓装置１ｂは、水栓本体２ｂと、一対のクランク脚３（水側クランク脚３ａ及び湯側水側クランク脚３ｂ）と、カラン側吐水部２３と、シャワー側吐水部２４と、を含んで構成される。
【００２７】
水栓本体２ｂは、中央のハウジング２ａ内に本発明の一実施形態としての後述するシリンダ式弁装置１００ｂと、温度調節装置２００ｂとを内蔵している。ハウジング２ａの向かって右側には切替ハンドル２２が設けられ、ハウジング２ａの向かって左側には温度調節ハンドル２５が設けられている。
切替ハンドル２２はシリンダ式弁装置１００ｂに接続され、温度調節ハンドル２５は温度調節装置２００ｂに接続されている。
水栓本体２ｂは接続部２１でクランク脚３に接続されている。更に、水栓本体２ｂには、その下側にカラン側吐水部２３が接続され、また、水栓本体２ｂの背面側には、シャワー側吐水部２４が接続されている。カラン側吐水部２３及びシャワー側吐水部２４は水栓本体２内に連なる各対応する流路２３００及び流路２４００によってシリンダ式弁装置１００ｂの各対応する出口側（カラン側開口及びシャワー側開口）に接続されている。
【００２８】
切替ハンドル２２及び温度調節ハンドル２５は、水栓本体２ｂに対して所定方向に回動自在である。
切替ハンドル２２は、回転操作によってカラン側吐水部２３からの吐水と、シャワー側吐水部２４からの吐水との切り替えを行うと共に、各吐水部からの吐水流量を調節する。
また、温度調節ハンドル２５は、回転操作によって吐水の温度調節を行う。
後述するように、本実施形態の水栓装置１ｂは、切替弁機能部分であるシリンダ式弁装置１００ｂと温度調節機能部分である温度調節装置２００ｂとが一体となった切替弁温度調節ユニット３００を適用して構成されている。
【００２９】
次に、図１２及び図１３を参照して、既述の図１１にその配置が鎖線で示された、切替弁温度調節ユニット３００について説明する。
図１２は切替弁温度調節ユニット３００の本体をなす外殻３０１を表し、図１３は外殻３０１の内部の構造を表している。
切替弁温度調節ユニット３００は、水栓装置１ｂのハウジング２ａ内に、温度調節装置２００ｂである温度調節機能部分とシリンダ式弁装置１００ｂである切替弁機能部分とが略同軸状に直列に連なって、全体として概略筒状をなしている。水栓装置１ｂに向かって略中央の部位にシリンダ式弁装置１００ｂが配置され、外殻３０１の内部の弁ケース１５０ｂ内に回転可能に嵌り合うシリンダ弁体１１０ｂが配されている。
シリンダ弁体１１０ｂの右端側に、同軸状に連なる駆動軸部１１２が切替弁温度調節ユニット３００の右端側まで軸方向に延びて、先端側が外殻３０１から突出している。この突出した部分が、図１１における切替ハンドル２２に嵌め合わされる。
【００３０】
一方、水栓装置１ｂに向かって左側の、外殻３０１の内部に温度調節装置２００ｂが配置されている。温度調節装置２００ｂの左側に突出した軸部分が、図１１における温度調節ハンドル２５に嵌め合わされる。
図１２を参照して明らかな通り、外殻３０１の、左右方向の略中央部位に、軸方向の位置を同じくし、且つ、周方向に離隔して、カラン側開口１８１ｂ及びシャワー側開口１８２ｂが設けられている。外殻３０１にはまた、中央よりも温度調節装置２００ｂ寄りに湯供給用開口１１１ｂが設けられている。図示しない水供給用開口１１１ａは湯供給用開口１１１ｂの周方向の逆側に設けられる。
図１１から図１３を参照しての説明より理解される通り、この第２実施形態では、カラン側とシャワー側への弁切替機能部と、カラン側吐水部２３及びシャワー側吐水部２４との位置を水栓本体２ｂの中央部分に集中的に配置して、カラン側とシャワー側それぞれへの配管を最短に、若しくは、直結したレイアウトを採ることが可能になる。このため、小型化とコスト低減との両面で優れる。
【００３１】
ここで、図１４から図１７を併せ参照して、切替弁温度調節ユニット３００におけるシリンダ式弁装置１００ｂについて説明する。
図１４は、図１３の切替弁温度調節ユニットの切替弁部を示す斜視図である。
図１５は、図１４の切替弁部の内の弁ケースを示す斜視図である。
図１６は、図１４の切替弁部の内のシリンダ弁体を示す斜視図である。
図１４において、図１３の切替弁温度調節ユニット３００の切替弁部としてのシリンダ式弁装置１００ｂは、弁ケース１５０ｂの内部に嵌め合わせるようにしてシリンダ弁体１１０ｂを有する。
図１２から図１６を併せ参照して理解されるとおり、切替弁温度調節ユニット３００の外殻３０１の内部に配された弁ケース１５０ｂ（図１３）には、その周面に、軸方向の位置を同じくし、且つ、周方向に離隔するようにして、カラン側開口２５１及びシャワー側開口２５２が設けられている。弁ケース１５０ｂにおけるカラン側開口２５１及びシャワー側開口２５２は、既述の外殻３０１におけるカラン側開口１８１ｂ及びシャワー側開口１８２ｂに対応して位置合わせされている。
カラン側開口２５１は、軸方向に並んだ相似的な２つの開口部２５１ａ及び２５１ｂを含んで構成される。シャワー側開口２５２についても同様に、軸方向に並んだ相似的な２つの開口部２５２ａ及び２５２ｂを含んで構成される。
【００３２】
図１４及び図１５を参照すると、弁ケース１５０ｂのカラン側開口２５１の縁部に適宜の枠部材等によって形状が維持されるようにしてシール部材２７１が設けられている。このシール部材２７１はＯリングと同様のシール部材であり、開口の周囲への流水（湯）の漏えいを阻止するパッキンである。
弁ケース１５０ｂのシャワー側開口２５２についても同様に、その縁部に適宜の枠部材等によって形状が維持されるようにしてシール部材２７２が設けられている。このシール部材２７２もＯリングと同様のシール部材であり、開口の周囲への流水（湯）の漏えいを阻止するパッキンである。
【００３３】
図１６のシリンダ弁体１１０ｂには、弁ケース１５０ｂにおける既述のカラン側開口２５１及びシャワー側開口２５２に対応して、シリンダ弁体１１０ｂの周面に、軸方向には位置を同じくし、且つ、周方向に離隔するようにして、シリンダ弁体側第１開口２２１及びシリンダ弁体側第２開口２２２が設けられている。
シリンダ弁体側第１開口２２１は、軸方向に並んだ相似的な２つの開口部２２１ａ及び２２１ｂを含んで構成される。これら開口部２２１ａ及び２２１ｂは、既述の弁ケース１５０ｂにおける２つの開口部２５１ａ及び２５１ｂに、その位置および大きさが対応している。
シリンダ弁体側第２開口２２２についても同様に、軸方向に並んだ相似的な２つの開口部２２２ａ及び２２２ｂを含んで構成される。これら開口部２２２ａ及び２２２ｂは、既述の弁ケース１５０ｂにおける２つの開口部２５２ａ及び２５２ｂに、その位置および大きさが対応している。
【００３４】
図１７は、図１４の切替弁部、即ち、シリンダ式弁装置１００ｂの、Ｃ―Ｃ線断面図である。
図１７において、既述の図１４と符号を対照して理解されるとおり、図１７で最内周側のシリンダ弁体１１０ｂに二点鎖線図示の切替ハンドル２２の回動変位が駆動軸部１１２を通して伝達される。このシリンダ弁体１１０ｂに既述のシリンダ弁体側第１開口２２１及びシリンダ弁体側第２開口２２２が形成されている。
シリンダ弁体１１０ｂの外周側に弁ケース１５０ｂが位置している。この弁ケース１５０ｂに既述のカラン側開口２５１及びシャワー側開口２５２が形成されている。
特に、カラン側開口２５１の内周にシール部材２７１が配され、同様に、シャワー側開口２５２内周にシール部材２７２が配されて、それぞれ開口の周囲への流水（湯）の漏えいが阻止される。
図１７は、シリンダ弁体側第１開口２２１またはシリンダ弁体側第２開口２２２がカラン側開口２５１またはシャワー側開口２５２と重なっていないため、閉弁状態である。閉弁状態から図１７における反時計回りに切替ハンドル２２を回すと、シリンダ弁体側第１開口２２１とカラン側開口２５１が重なり、水（湯）がカラン側吐水部２３から吐出する。一方、閉弁状態から図１７における時計回りに切替ハンドル２２を回すと、シリンダ弁体側第２開口２２２とシャワー側開口２５２が重なり、水（湯）がシャワー側吐水部２４から吐出する。シリンダ弁体側第１開口２２１とシリンダ弁体側第２開口２２２を１つの開口にて形成しても同様の操作が可能だが、本実施形態のように２つの開口に分けることで回動距離を短くできる。
【００３５】
以上述べた本実施形態によれば、次のような作用効果が奏される。
（１）軸周りに回転可能で内部が温水供給流路１１１をなすシリンダ弁体１１０と、シリンダ弁体１１０を内部に収容する弁ケース１５０と、を備え、シリンダ弁体１１０は、その周面に温水供給流路１１１に貫通するシリンダ弁体側開口１２０、１６１を有し、弁ケース１５０は、シリンダ弁体側開口１２０、１６１に対応するように軸方向位置を同じくし且つ周方向に離隔した複数の弁ケース側開口１５１，１５２を有する。
複数の弁ケース側開口１５１，１５２は、例えば、カラン側吐水部２３及びシャワー側吐水部２４に接続されて、選択的に（切替の中間位置において、カラン側とシャワー側とに同時に給水される場合を含む）給水（給湯）することができるが、これらの複数の弁ケース側開口１５１，１５２は、軸方向位置を同じくして設けられている。このため、一般的なシリンダ式弁装置に比し、軸方向の長さを短縮でき、従って、材料コストが低減される結果、製造コストが低廉なシリンダ式弁装置を提供することができる。
特に、図５の如く、シリンダ弁体１１０に設けるシリンダ弁体側開口１２０、１６１を周方向に１箇所とする構成を採れば、シリンダ弁体側開口を複数箇所に設ける場合に比し、加工コストをも低減することができ、従って、一層製造コストを低廉なものとすることができる。
【００３６】
（２）シリンダ式弁装置１００では特に、複数の弁ケース側開口１５１，１５２が当該シリンダ式弁装置を持つ水栓本体のそれぞれ別の流路に連通するように構成されている。
このため、水栓本体のそれぞれ別の流路に給水（給湯）することができる。
【００３７】
（３）シリンダ式弁装置１００では特に、複数の弁ケース側開口は、カランに通じるカラン側開口１５１及びシャワーホースに通じるシャワー側開口１５２であり、カラン側開口１５１及びシャワー側開口１５２は、シリンダ弁体１１０側から操作ハンドル２２側を見る視座で反時計方向にシリンダ弁体１１０が回動するときに、回動の所定の初期位置ではシリンダ弁体側開口１２０、１６１は弁ケース側開口１５１，１５２の何れとも連通せず、初期位置から所定の第１の回転角度範囲離隔した位置においてシリンダ弁体側開口１２０、１６１はカラン側開口１５１と連通し、第１の回転角度範囲を超える第２の角度範囲離隔した位置においてシリンダ弁体側開口１２０、１６１はシャワー側開口１５２と連通するように、シリンダ弁体側開口１２０、１６１、カラン側開口１５１、及び、シャワー側開口１５２の相対位置が設定されている。
このため、上記初期位置を操作ハンドル２２が下向きになった位置とし、その位置から操作ハンドル２２を漸次所定角度引き上げることによって、閉止→カラン吐水→シャワ―吐水の如く切替る、所謂アップ操作吐水方式を採ることができる。従って、不用意に物体が落下して操作ハンドル２２に当たるようなことが起こった場合に、吐水側でなく閉止側に切替るため、意図しない吐水が生じて水（湯）を無駄に流してしまうような不都合が原理的に回避される。
更に、シリンダ式弁装置１００では、操作ハンドル２２を漸次所定角度引き上げることによって、閉止→カラン吐水→シャワ―吐水の如く切替るが、閉止→シャワ―吐水といった一足飛びの切替が原理的に生じない。
【００３８】
（４）シリンダ式弁装置１００では特に、弁ケース側開口１５１，１５２の周りをシールするシール部材１７１，１７２を弁ケース１５０に設けた。このため、複数の弁ケース側開口１５１，１５２について、それらの開口が個別に開口周囲をシールされる。従って、複数の弁ケース側開口１５１，１５２のそれぞれから内部の流水や湯が外部に漏えいすることがなく、更に、漏えいした流水や湯が混ざってしまうといった不具合も回避される。
【００３９】
（５）また、カラン吐水→シャワ―吐水の切替では、シリンダ弁体１１０内部の温水供給流路１１１がカラン側開口１５１及びシャワー側開口１５２の何れとも連通する操作ハンドル２２の操作角が存在する。
このため、湯温が上がらないうちに、これに気づく機会がないまま、不用意に冷たい水をシャワ―から浴びせられるといった不都合も原理的に回避される。
【００４０】
尚、本発明は上述の実施形態に限定されるものではなく、本発明の目的を達成できる範囲での変形変更等は本発明に含まれる。
例えば、上述の第１実施形態及び第２実施形態では、弁ケース側開口はカラン側に対応するものとシャワー側に対応するものとの２つ（２箇所）であったが、更に弁ケース側開口を増やして多岐にわたる切替を可能にすることもできる。
その他、本発明の要旨を逸脱しない種々の変形例や変更例は、本発明に包摂される。
【符号の説明】
【００４１】
２２…切替ハンドル
１００…シリンダ式弁装置
１１１…温水供給流路
１２０…シリンダ弁体側開口
１５０…弁ケース
１５１,１５２…弁ケース側開口
１６０…外筒部材
１６１…シリンダ弁体側開口
１７１，１７２…シール部材
【図１】
0006654492.tif 000002
【図２】
0006654492.tif 000003
【図３】
0006654492.tif 000004
【図４】
0006654492.tif 000005
【図５】
0006654492.tif 000006
【図６】
0006654492.tif 000007
【図７】
0006654492.tif 000008
【図８】
0006654492.tif 000009
【図９】
0006654492.tif 000010
【図１０】
0006654492.tif 000011
【図１１】
0006654492.tif 000012
【図１２】
0006654492.tif 000013
【図１３】
0006654492.tif 000014
【図１４】
0006654492.tif 000015
【図１５】
0006654492.tif 000016
【図１６】
0006654492.tif 000017
【図１７】
0006654492.tif 000018